(57)【要約】【課題】情報のセキュリティ性を向上させることのできる住宅の電力管理システムを提供する。【解決手段】住宅１の電力管理システム２は、ＨＥＭＳ装置２０を備える。ＨＥＭＳ装置２０は、記憶部２００と、管理部２０１と、制御部２０２とを備える。管理部２０１は、２世帯が居住する住宅１の電力情報を管理する。制御部２０２は、住宅１の電力情報を端末装置２２，２３に表示させる。記憶部２００には、２世帯毎に割り振られた複数の登録ＩＤ番号が記憶されている。制御部２０２は、端末装置２２，２３に入力されるＩＤ番号と登録ＩＤ番号とを比較することで端末装置２２，２３の認証を行い、端末装置２２，２３の認証が成立した場合、登録ＩＤ番号に対応する世帯別の電力情報を端末装置２２，２３に表示させる。【選択図】図１
2017060268.tif 000002
【特許請求の範囲】
【請求項１】
複数世帯が居住する住宅（１）の電力情報を管理する管理部（２０１）と、
前記住宅の電力情報を端末装置（２２，２３）に表示させる制御部（２０２）と、
複数の登録識別情報が記憶される記憶部（２００）と、を備え、
前記制御部は、
前記端末装置に入力される識別情報と前記登録識別情報とを比較することで前記端末装置の認証を行い、前記端末装置の認証が成立した場合、前記登録識別情報に対応する世帯別の電力情報を前記端末装置に表示させる
住宅の電力管理システム。
【請求項２】
前記制御部は、
前記端末装置の認証が成立した場合、前記複数世帯に共通する電力情報を前記端末装置に更に表示させる
請求項１に記載の住宅の電力管理システム。
【請求項３】
前記端末装置に表示される電力情報の表示項目は、前記複数の登録識別情報毎に任意に変更可能である
請求項１又は２に記載の住宅の電力管理システム。
【請求項４】
前記記憶部には、
管理者の登録識別情報が更に記憶され、
前記制御部は、
前記端末装置の認証の際に用いられた識別情報が前記管理者の登録識別情報である場合、
前記世帯別の電力情報、及び前記複数世帯に共通する電力情報を前記端末装置に表示する
請求項１〜３のいずれか一項に記載の住宅の電力管理システム。
【請求項５】
前記制御部は、
前記端末装置に表示させる電力情報として、現在の電力情報と過去の電力情報とを用いる
請求項１〜４のいずれか一項に記載の住宅の電力管理システム。
【請求項６】
前記制御部は、
前記端末装置の操作に基づいて前記住宅の機器を更に制御するものであり、
前記端末装置の認証が成立した場合、前記登録識別情報に対応する世帯別の機器の操作を前記端末装置に対して許可する
請求項１〜５のいずれか一項に記載の住宅の電力管理システム。
【請求項７】
前記制御部は、
前記端末装置の認証が成立した場合、前記複数世帯に共通する機器の操作を前記端末装置に対して許可する
請求項６に記載の住宅の電力管理システム。
【請求項８】
前記端末装置に対して操作の許可される機器の種類は、前記複数の登録識別情報毎に任意に変更可能である
請求項６又は７に記載の住宅の電力管理システム。
【請求項９】
前記記憶部には、
管理者の登録識別情報が更に記憶され、
前記制御部は、
前記端末装置の認証の際に用いられた識別情報が前記管理者の登録識別情報である場合、
前記世帯別の機器、及び前記複数世帯に共通する機器の操作を前記端末装置に対して許可する
請求項６〜８のいずれか一項に記載の住宅の電力管理システム。
【請求項１０】
前記記憶部には、
前記住宅の外部のネットワークを利用した認証の際に用いられる遠隔操作用の登録識別情報が更に記憶され、
前記制御部は、
遠隔操作装置（２４）に入力される識別情報と前記遠隔操作用の登録識別情報とを比較することで前記遠隔操作装置の認証を行い、前記遠隔操作装置の認証が成立した場合、前記世帯別の電力情報、及び前記複数世帯に共通する電力情報を前記遠隔操作装置に表示させる
請求項１〜９のいずれか一項に記載の住宅の電力管理システム。
【請求項１１】
前記遠隔操作装置に表示される電力情報の表示項目は、任意に変更可能である
請求項１０に記載の住宅の電力管理システム。
【請求項１２】
前記制御部は、
前記端末装置の操作に基づいて前記住宅の機器を更に制御するものであり、
前記遠隔操作装置の認証が成立した場合、前記世帯別の機器、及び前記複数世帯に共通する機器の操作を前記遠隔操作装置に対して許可する
請求項１０又は１１に記載の住宅の電力管理システム。
【請求項１３】
前記遠隔操作装置により操作可能な前記住宅の機器の種類は、任意に変更可能である
請求項１２に記載の住宅の電力管理システム。
【発明の詳細な説明】
【技術分野】
【０００１】
本発明は、住宅の電力管理システムに関する。
【背景技術】
【０００２】
従来、住宅の電力管理システムとしては、特許文献１に記載のシステムがある。特許文献１に記載の電力管理システムは、主幹ブレーカと、複数の分岐ブレーカと、分岐電流検出部と、メモリと、演算部と、制御部とを備えている。複数の分岐ブレーカは、主幹ブレーカの二次側から分岐して機器に電力を供給する分岐電路に各々設けられている。分岐電流検出部は、各分岐ブレーカを介して機器に供給される電流値を分岐ブレーカ毎に計測する。メモリには、それぞれの分岐ブレーカ毎に電力供給先の機器に対応した力率情報が記憶されている。演算部は、分岐電流検出部により検出される電流値と、メモリに記憶された力率情報に基づいて分岐ブレーカ毎の電力量を演算する。制御部は、演算部により演算された分岐ブレーカ毎の電力量を表す電力情報を生成し、生成された電力情報を端末装置に送信する。端末装置は、制御部から送信される電力情報を表示する。特許文献１に記載の電力管理システムでは、端末装置により宅内の分岐電路毎の電力を監視することができる。
【先行技術文献】
【特許文献】
【０００３】
【特許文献１】特許第４５３５０５２号公報
【発明の概要】
【発明が解決しようとする課題】
【０００４】
ところで、特許文献１に記載の住宅の電力管理システムを２世帯住宅で用いる場合、端末装置には、住宅全体の電力情報が表示される。すなわち、端末装置には、各世帯の電力情報が表示される。よって、一方の世帯の電力情報が、他方の世帯に漏れる可能性がある。このような場合、例えば世帯の単位時間当たりの消費電力を分析することにより、住人の外出時間や生活パターンといった「生活のプロファイルという個人情報」を他の世帯の住人が取得することができる。このような状況は、情報のセキュリティ性の観点からすると好ましくない。
【０００５】
本発明は、こうした実情に鑑みてなされたものであり、その目的は、情報のセキュリティ性を向上させることのできる住宅の電力管理システムを提供することにある。
【課題を解決するための手段】
【０００６】
上記課題を解決するために、住宅（１）の電力管理システム（２）は、管理部（２０１）と、制御部（２０２）と、記憶部（２００）とを備える。管理部は、複数世帯が居住する住宅（１）の電力情報を管理する。制御部（２０２）は、住宅の電力情報を端末装置（２２，２３）に表示させる。記憶部には、複数の登録識別情報が記憶されている。制御部は、端末装置に入力される識別情報と登録識別情報とを比較することで端末装置の認証を行い、端末装置の認証が成立した場合、登録識別情報に対応する世帯別の電力情報を端末装置に表示させる。
【０００７】
この構成によれば、端末装置には世帯別の電力情報が表示されるため、自身の世帯の電力情報が他の世帯に漏れ難くなる。そのため、情報のセキュリティ性を向上させることができる。
【０００８】
なお、上記手段、及び特許請求の範囲に記載の括弧内の符号は、後述する実施形態に記載の具体的手段との対応関係を示す一例である。
【発明の効果】
【０００９】
本発明によれば、情報のセキュリティ性を向上させることができる。
【図面の簡単な説明】
【００１０】
【図１】実施形態の住宅の概要を示すブロック図である。
【図２】実施形態の住宅の電力管理システムで用いられる端末装置の斜視構造を示す斜視図である。
【図３】実施形態のＨＥＭＳ装置の制御部により実行される処理の手順を示すフローチャートである。
【図４】実施形態の端末装置に表示されるログイン画面の概要を示す図である。
【図５】実施形態のＨＥＭＳ装置の制御部により実行される表示処理の手順を示すフローチャートである。である。
【図６】実施形態の端末装置に表示される管理者用のホーム画面の概要を示す図である。
【図７】実施形態の端末装置に表示される管理者用の電力情報詳細画面の概要を示す図である。
【図８】実施形態の端末装置に表示される管理者用の機器操作画面の概要を示す図である。
【図９】実施形態の端末装置に表示される第１世帯用のホーム画面の概要を示す図である。
【図１０】実施形態の端末装置に表示される第１世帯用の電力情報詳細画面を示す図である。
【図１１】実施形態の端末装置に表示される第１世帯用の機器操作画面の概要を示す図である。
【図１２】他の実施形態のＨＥＭＳ装置の記憶部に記憶されている閲覧権限情報を示す図表である。
【図１３】他の実施形態のＨＥＭＳ装置の記憶部に記憶されている操作権限情報を示す図表である。
【図１４】他の実施形態の端末装置に表示される住宅全体の電力情報詳細画面の概要を示す図である。
【図１５】他の実施形態の住宅の概要を示すブロック図である。
【発明を実施するための形態】
【００１１】
以下、住宅の電力管理システムの一実施形態について説明する。本実施形態の住宅は、２つの世帯の住人が居住する、いわゆる２世帯住宅である。
【００１２】
図１に示されるように、本実施形態の住宅１には、分電盤１０ａ，１０ｂと、メータ１１と、給湯装置１２と、太陽光発電装置１３と、ＰＣＳ（Power Conditioning System）１４と、蓄電装置１５と、充電スタンド１６とを備えている。
【００１３】
太陽光発電装置１３は、住宅１の屋上に配置された図示しない太陽光パネルにより太陽光のエネルギを直流電力に変換することで発電を行う。太陽光発電装置１３により発電された直流電力はＰＣＳ１４に供給される。
【００１４】
ＰＣＳ１４は、太陽光発電装置１３により発電された直流電力を、住宅１で使用可能な交流電力に変換する。ＰＣＳ１４で変換された交流電力は分電盤１０ａに供給される。
【００１５】
分電盤１０ａは、電力系統３及びＰＣＳ１４から供給される交流電力を第１世帯Ｈ１の機器３０〜３３、分電盤１０ｂ、蓄電装置１５、及び充電スタンド１６に分配する。機器３０，３１は、第１世帯Ｈ１の部屋Ｒ１０に設置されている。機器３２，３３は、第１世帯Ｈ１の部屋Ｒ１１に設置されている。機器３０〜３３は、分電盤１０ａからの電力の供給に基づき駆動する。分電盤１０ａは、機器３０〜３３の消費電力を検出する機能を有している。また、分電盤１０ａは、ＰＣＳ１４から供給される電力、すなわち太陽光発電装置１３の発電量を検出する機能も有している。
【００１６】
分電盤１０ｂは、分電盤１０ａから供給される交流電力を第２世帯Ｈ２の機器４０〜４３に分配する。機器４０，４１は、第２世帯Ｈ２の部屋Ｒ２０に設置されている。機器４２，４３は、第２世帯Ｈ２の部屋Ｒ２１に設置されている。機器４０〜４３は、分電盤１０ｂからの電力の供給に基づき駆動する。
【００１７】
メータ１１は、電力系統３から分電盤１０ａに至る電力線の途中に設けられている。メータ１１は、住宅１全体の消費電力を検出する。
【００１８】
給湯装置１２は、ヒートポンプ式の構成を有しており、空気の熱を利用して温水を生成する。給湯装置１２で生成される温水は住宅１で使用される。給湯装置１２は、メータ１１から分電盤１０ａに至る電力線に接続されている。すなわち、給湯装置１２には、電力系統３から直接電力が供給される。給湯装置１２は、自身の消費電力を監視する機能を有している。給湯装置１２は、各世帯Ｈ１，Ｈ２の住人により利用可能な機器である。
【００１９】
蓄電装置１５は、電力系統３及びＰＣＳ１４から分電盤１０ａを介して供給される電力に基づいて充電する。蓄電装置１５に充電された電力は、第１世帯Ｈ１の機器３０〜３３や充電スタンド１６に供給される。また、蓄電装置１５に充電された電力は、分電盤１０ａ，１０ｂを介して第２世帯Ｈ２の機器４０〜４３にも供給される。すなわち、蓄電装置１５は、各世帯Ｈ１，Ｈ２により利用される。蓄電装置１５は、自身の充電量を監視する機能を有している。
【００２０】
充電スタンド１６は、分電盤１０ａあるいは蓄電装置１５から供給される電力を車両４に供給する。車両４は、車両４に搭載された図示しないバッテリから供給される電力を動力源として走行するハイブリッド車や電動車両等である。具体的には、充電スタンド１６は、車両４に設けられた図示しないインレットに接続可能なプラグ１６０を備えている。プラグ１６０を車両４のインレットに接続すると、充電スタンド１６から車両４への電力供給が行われ、車両４のバッテリが充電される。充電スタンド１６は、自身の消費電力、すなわち車両４への供給電力を監視する機能を有している。充電スタンド１６は、各世帯Ｈ１，Ｈ２の住人により利用可能な機器である。
【００２１】
住宅１には、住宅１の電力状態を統括的に管理する電力管理システム２が設けられている。電力管理システム２は、ＨＥＭＳ（Home Energy Management System）装置２０と、無線ルータ２１と、端末装置２２，２３とを備えている。
【００２２】
ＨＥＭＳ装置２０は、分電盤１０ａ，１０ｂ、メータ１１、給湯装置１２、蓄電装置１５、充電スタンド１６、第１世帯Ｈ１の機器３０，３２、及び第２世帯Ｈ２の機器４０，４２とローカルエリアネットワーク（ＬＡＮ）２５を介して通信可能に接続されている。ＨＥＭＳ装置２０は、分電盤１０ａ，１０ｂ、メータ１１、給湯装置１２、蓄電装置１５、及び充電スタンド１６からＬＡＮ２５を介して各種電力情報を取得するとともに、取得した電力情報に基づいて住宅１の電力状態を管理する。
【００２３】
具体的には、ＨＥＭＳ装置２０は、記憶部２００と、管理部２０１と、制御部２０２とを備えている。
【００２４】
管理部２０１は、住宅１の電力情報を管理している。管理部２０１は、例えば以下の（ａ１）〜（ａ１１）に示される電力情報を取得している。
【００２５】
（ａ１）管理部２０１は、分電盤１０ａから機器３０〜３３の消費電力の情報を取得し、それらの総計により第１世帯Ｈ１の消費電力の情報を取得する。
（ａ２）管理部２０１は、分電盤１０ａから機器３０，３１の消費電力の情報を取得し、それらの総計により第１世帯Ｈ１の部屋Ｒ１０の消費電力の情報を取得する。
（ａ３）管理部２０１は、分電盤１０ａから機器３２，３３の消費電力の情報を取得し、それらの総計により第１世帯Ｈ１の部屋Ｒ１１の消費電力の情報を取得する。
（ａ４）管理部２０１は、分電盤１０ｂから機器４０〜４３の消費電力の情報を取得し、それらの総計により第２世帯Ｈ２の消費電力の情報を取得する。
（ａ５）管理部２０１は、分電盤１０ｂから機器４０，４１の消費電力の情報を取得し、それらの総計により第２世帯Ｈ２の部屋Ｒ２０の消費電力の情報を取得する。
（ａ６）管理部２０１は、分電盤１０ｂから機器４２，４３の消費電力の情報を取得し、それらの総計により第２世帯Ｈ２の部屋Ｒ２１の消費電力の情報を取得する。
（ａ７）管理部２０１は、分電盤１０ａから太陽光発電装置１３の発電量の情報を取得する。
（ａ８）管理部２０１は、メータ１１から住宅１全体の消費電力の情報を取得する。
（ａ９）管理部２０１は、給湯装置１２からその消費電力の情報を取得する。
（ａ１０）管理部２０１は、充電スタンド１６からその消費電力の情報を取得する。
（ａ１１）管理部２０１は、蓄電装置１５からその充電量の情報を取得する。
【００２６】
管理部２０１は、（ａ１）〜（ａ１１）に示される電力情報を取得するとともに、取得した電力情報の現在の情報及び過去の情報を記憶部２００に記憶させている。記憶部２００は、半導体メモリ等の非遷移的実体的記録媒体である。
【００２７】
また、管理部２０１は、給湯装置１２、蓄電装置１５、充電スタンド１６、及び機器３０，３２，４０，４２等の住宅１の機器の動作状態を管理している。具体的には、管理部２０１は、ＬＡＮ２５を介して給湯装置１２、蓄電装置１５、充電スタンド１６、及び機器３０，３２，４０，４２と通信を行うことにより、それらが駆動及び停止のいずれの状態であるかを監視している。
【００２８】
制御部２０２は、管理部２０１により管理されている住宅１の電力情報を端末装置２２，２３に表示させる。また、制御部２０２は、ＬＡＮ２５を介して給湯装置１２、蓄電装置１５、充電スタンド１６、及び機器３０，３２，４０，４２と通信を行うことにより、それらの動作状態を切り替える。制御部２０２は、上記の（ａ１）〜（ａ１１）を含む住宅１全体の電力情報に基づいて、例えば充電スタンド１６の駆動及び停止の切り替えや、蓄電装置１５の充電及び放電の切り替えを行うことにより、住宅１全体の電力を節約する電力制御等、住宅１の各種電力状態を管理する制御を行う。
【００２９】
無線ルータ２１は、端末装置２２，２３と無線通信可能に接続されている。また、無線ルータ２１は、住宅のＬＡＮ２５を介してＨＥＭＳ装置２０と通信可能に接続されている。無線ルータ２１は、端末装置２２，２３から無線送信される情報をＨＥＭＳ装置２０に送信する。また、無線ルータ２１は、ＨＥＭＳ装置２０から送信される情報を端末装置２２，２３に無線送信する。
【００３０】
端末装置２２，２３は、電力管理システム２専用の装置である。端末装置２２，２３は、マイクロコンピュータを中心に構成されており、無線ルータ２１と無線通信を行うための図示しない通信装置等を備えている。また、図２に示されるように、端末装置２２は、電力管理システム２に関する各種情報を表示するタッチパネル２２０を備えている。端末装置２２では、タッチパネル２２０をタッチ操作することにより各種操作を行うことも可能である。すなわち、タッチパネル２２０は、操作部としての機能も有している。
【００３１】
図１に示されるように、端末装置２２は、第１世帯Ｈ１の住人により使用される。端末装置２２は、タッチパネル２２０に対する操作情報を無線ルータ２１を介してＨＥＭＳ装置２０に無線送信する。
【００３２】
端末装置２３も、端末装置２２と同様の構成を有している。端末装置２３は、第２世帯Ｈ２の住人により使用される。
【００３３】
ＨＥＭＳ装置２０の制御部２０２は、端末装置２２，２３から送信される操作情報に基づいて住宅１の電力情報を端末装置２２，２３に送信することで、タッチパネル２２０に住宅１の電力情報を表示させる。また、制御部２０２は、端末装置２２，２３から送信される操作情報に基づいて給湯装置１２等の住宅１の機器を制御する。
【００３４】
次に、図３を参照して、制御部２０２により実行される処理の手順について具体的に説明する。制御部２０２は、端末装置２２，２３の操作に基づいて図３に示される処理を開始する。なお、端末装置２２，２３のいずれが操作された場合でも制御部２０２により実行される処理は同一であるため、以下では、便宜上、端末装置２２が操作された場合について代表して説明する。
【００３５】
図３に示されるように、制御部２０２は、まず、ステップＳ１として、ログイン画面Ｇ１を端末装置２２に表示させる。図４に示されるように、ログイン画面Ｇ１は、ＩＤ番号とパスワードとを入力する画面からなる。
【００３６】
図３に示されるように、制御部２０２は、ステップＳ１に続くステップＳ２として、ＩＤ番号及びパスワードが端末装置２２に入力されたか否かを判断する。以下では、便宜上、ログイン画面Ｇ１で入力されるＩＤ番号をログインＩＤ番号と称し、ログイン画面Ｇ１で入力されるパスワードをログインパスワードと称する。制御部２０２は、ステップＳ２で否定判断した場合、すなわちＩＤ番号及びパスワードが入力されていない場合には、ステップＳ１に戻る。
【００３７】
制御部２０２は、ステップＳ２で肯定判断した場合、すなわちＩＤ番号及びパスワードが入力された場合には、ステップＳ３として、端末装置２２の認証が成立したか否かを判断する。
【００３８】
具体的には、記憶部２００には、管理者の登録ＩＤ番号Ｎｍと、世帯Ｈ１，Ｈ２毎に割り振られた登録ＩＤ番号Ｎｈ１，Ｎｈ２とが記憶されている。本実施形態では、登録ＩＤ番号Ｎｍ，Ｎｈ１，Ｎｈ２が登録識別情報に相当する。また、記憶部２００には、登録ＩＤ番号Ｎｍ，Ｎｈ１，Ｎｈ２毎に設定された登録パスワードＰｍ，Ｐｈ１，Ｐｈ２も記憶されている。制御部２０２は、ログインＩＤ番号と登録ＩＤ番号Ｎｍ，Ｎｈ１，Ｎｈ２との比較、及びログインパスワードと登録パスワードＰｍ，Ｐｈ１，Ｐｈ２との比較により端末装置２２の認証を行う。例えば制御部２０２は、ログインＩＤ番号が登録ＩＤ番号Ｎｍと一致して、且つログインパスワードが登録パスワードＰｍと一致する場合には、認証が成立したと判断する。制御部２０２は、ステップＳ３で否定判断した場合には、すなわち端末装置２２の認証が不成立の場合には、ステップＳ１に戻る。
【００３９】
制御部２０２は、ステップＳ３で肯定判断した場合には、すなわち端末装置２２の認証が成立した場合には、ステップＳ４として表示処理を実行する。具体的には、制御部２０２は、図５に示される処理を実行する。
【００４０】
図５に示されるように、制御部２０２は、まず、ステップＳ４０として、ログインＩＤ番号が管理者の登録ＩＤ番号Ｎｍであるか否かを判断する。制御部２０２は、ステップＳ４０で肯定判断した場合には、ステップＳ４１として、例えば図６に示されるような管理者用ホーム画面Ｇ１０を端末装置２２に表示させる。
【００４１】
具体的には、管理者用ホーム画面Ｇ１０には、「住宅全体」の欄、「第１世帯」の欄、及び「第２世帯」の欄が設けられている。「住宅全体」の欄には、２世帯Ｈ１，Ｈ２に共通する電力情報として、太陽光発電装置１３の発電量、蓄電装置１５の蓄電量、及び住宅１全体の消費電力の情報が表示される。「第１世帯」の欄には、第１世帯Ｈ１に対応する電力情報として、第１世帯Ｈ１全体の消費電力の情報が表示される。「第２世帯」の欄には、第２世帯Ｈ２に対応する電力情報として、第２世帯Ｈ２全体の消費電力の情報が表示される。管理者用ホーム画面Ｇ１０には、「詳細表示」、「機器操作」、「ログアウト」のそれぞれのアイコンＡ１０〜Ａ１２が表示されている。
【００４２】
図５に示されるように、制御部２０２は、ステップＳ４１に続くステップＳ４２として、「詳細表示」のアイコンＡ１０が操作されたか否かを判断する。制御部２０２は、ステップＳ４２で肯定判断した場合には、ステップＳ４３として、図７に示されるような住宅１全体の電力情報詳細画面Ｇ１１を端末装置２２に表示させる。電力情報詳細画面Ｇ１１は、住宅１全体の分岐の電力情報を表示する画面である。
【００４３】
具体的には、電力情報詳細画面Ｇ１１には、「住宅全体」の欄、「第１世帯」の欄、及び「第２世帯」の欄が設けられている。「住宅全体」の欄には、２世帯Ｈ１，Ｈ２に共通する消費電力の詳細情報として、給湯装置１２の消費電力、及び充電スタンド１６の消費電力の情報が表示される。「第１世帯」の欄には、第１世帯Ｈ１に対応する消費電力の詳細情報として、部屋Ｒ１０の消費電力、及び部屋Ｒ１１の消費電力の情報が表示される。「第２世帯」の欄には、第２世帯Ｈ２に対応する消費電力の詳細情報として、部屋Ｒ２０の消費電力、及び部屋Ｒ２１の消費電力の情報が表示される。電力情報詳細画面Ｇ１１には、「ホーム」のアイコンＡ１３が表示されている。制御部２０２は、「ホーム」のアイコンＡ１３が操作されることに基づいてステップＳ４３を終了する。
【００４４】
図５に示されるように、制御部２０２は、ステップＳ４３を終了した場合、あるいはステップＳ４２で否定判断した場合には、ステップＳ４４として、管理者用ホーム画面Ｇ１０の「機器操作」のアイコンＡ１１が操作されたか否かを判断する。制御部２０２は、ステップＳ４４で肯定判断した場合には、ステップＳ４５として、図８に示されるような住宅１全体の機器操作画面Ｇ１２を端末装置２２に表示させる。住宅１全体の機器操作画面Ｇ１２は、住宅１全体の操作可能な機器を表示する画面である。
【００４５】
具体的には、機器操作画面Ｇ１２には、「住宅全体」の欄、「第１世帯」の欄、及び「第２世帯」の欄が設けられている。「住宅全体」の欄には、２世帯Ｈ１，Ｈ２の住人に共通して操作可能な機器として、給湯装置１２、及び充電スタンド１６が表示される。「第１世帯」の欄には、第１世帯Ｈ１の住人により操作可能な機器として、機器３０、及び機器３２が表示される。「第２世帯」の欄には、第２世帯Ｈ２の住人により操作可能な機器として、機器４０、及び機器４２が表示される。機器操作画面Ｇ１２において、「オン」は、機器を駆動させることを示し、「オフ」は、機器を停止させることを示す。端末装置２２は、機器操作画面Ｇ１２において各機器の「オン」及び「オフ」が選択されると、その選択情報を制御部２０２に送信する。制御部２０２は、端末装置２２から送信される選択情報に基づいて機器の駆動及び停止を切り替えることにより、機器の動作状態を切り替える。機器操作画面Ｇ１２には、「ホーム」のアイコンＡ１４が表示されている。制御部２０２は、「ホーム」のアイコンＡ１４が操作されることに基づいてステップＳ４５を終了する。
【００４６】
図５に示されるように、制御部２０２は、ステップＳ４５の処理が終了した場合、あるいはステップＳ４４で否定判断した場合には、表示処理を終了する。
【００４７】
制御部２０２は、ステップＳ４０で否定判断した場合には、ステップＳ４６として、ログインＩＤ番号が第１世帯Ｈ１のＩＤ番号Ｎｈ１であるか否かを判断する。制御部２０２は、ステップＳ４６で肯定判断した場合には、ステップＳ４７として、図９に示されるような第１世帯用ホーム画面Ｇ２０を端末装置２２に表示させる。
【００４８】
具体的には、第１世帯用ホーム画面Ｇ２０には、２世帯Ｈ１，Ｈ２に共通する電力情報として、太陽光発電装置１３の発電量、及び蓄電装置１５の蓄電量を端末装置２２が表示される。また、第１世帯用ホーム画面Ｇ２０には、第１世帯Ｈ１に対応する電力情報として、第１世帯Ｈ１全体の消費電力の情報を端末装置２２に表示される。第１世帯用ホーム画面Ｇ２０には、「詳細表示」、「機器操作」、「ログアウト」のアイコンＡ２０〜Ａ２２が表示されている。
【００４９】
図５に示されるように、制御部２０２は、ステップＳ４７の処理に続くステップＳ４８として、第１世帯用ホーム画面Ｇ２０の「詳細表示」のアイコンＡ２０が操作されたか否かを判断する。制御部２０２は、ステップＳ４８で肯定判断した場合には、ステップＳ４９として、図１０に示されるような第１世帯Ｈ１の電力情報詳細画面Ｇ２１を端末装置２２に表示させる。電力情報詳細画面Ｇ２１は、第１世帯Ｈ１の分岐の電力情報を表示する画面である。
【００５０】
具体的には、電力情報詳細画面Ｇ２１には、第１世帯Ｈ１の消費電力の詳細情報として、部屋Ｒ１０の消費電力、及び部屋Ｒ１１の消費電力が表示される。電力情報詳細画面Ｇ２１には、「ホーム」のアイコンＡ２３が表示されている。制御部２０２は、「ホーム」のアイコンＡ２３が操作されることに基づいてステップＳ４９を終了する。
【００５１】
図５に示されるように、制御部２０２は、ステップＳ４９が終了した場合、あるいはステップＳ４８で否定判断した場合には、ステップＳ５０として、第１世帯用ホーム画面Ｇ２０の「機器操作」のアイコンＡ２１が操作されたか否かを判断する。制御部２０２は、ステップＳ５０で肯定判断した場合には、ステップＳ５１として、図１１に示されるような第１世帯Ｈ１の機器操作画面Ｇ２２を端末装置２２に表示させる。第１世帯Ｈ１の機器操作画面Ｇ２２は、第１世帯Ｈ１の住人により操作可能な機器を表示する画面である。
【００５２】
具体的には、機器操作画面Ｇ２２には、２世帯Ｈ１，Ｈ２に共通して操作可能な機器として、給湯装置１２、及び充電スタンド１６が表示される。また、機器操作画面Ｇ２２には、第１世帯Ｈ１により操作可能な機器として、機器３０，３２が表示される。端末装置２２は、機器操作画面Ｇ２２において各機器の「オン」及び「オフ」が選択されると、その選択情報をＨＥＭＳ装置２０に送信する。ＨＥＭＳ装置２０の制御部２０２は、端末装置２２から送信される選択情報に基づいて機器の駆動及び停止を切り替えることにより、機器の動作状態を切り替える。機器操作画面Ｇ２２には、「ホーム」のアイコンＡ２４が表示されている。制御部２０２は、「ホーム」のアイコンＡ２４が操作されることに基づいてステップＳ５１を終了する。
【００５３】
図５に示されるように、制御部２０２は、ステップＳ５１を終了した場合、あるいはステップＳ５０で否定判断した場合には、表示処理を終了する。
【００５４】
制御部２０２は、ステップＳ４６で否定判断した場合には、すなわちログインＩＤ番号が第２世帯Ｈ２のＩＤ番号Ｎｈ２である場合には、ステップＳ５２〜Ｓ５６を実行する。ステップＳ５２〜Ｓ５６は、ステップＳ４７〜Ｓ５１のそれぞれの処理を第２世帯Ｈ２に対応させた処理であるため、詳細な説明は割愛する。
【００５５】
図３に示されるように、制御部２０２は、ステップＳ４の表示処理を終了すると、ステップＳ４に続くステップＳ５として、ログアウト操作が行われたか否かを判断する。具体的には、制御部２０２は、各ホーム画面Ｇ１０，Ｇ２０，Ｇ３０の「ログアウト」のアイコンＡ１２，Ａ２２，Ａ３２が操作された場合には、ログアウト操作が行われたと判断する。制御部２０２は、ログアウト操作が行われていない場合には、ステップＳ５で否定判断し、ステップＳ４に戻る。
【００５６】
制御部２０２は、ログアウト操作が行われた場合には、ステップＳ５で肯定判断し、ステップＳ１に戻る。すなわち、制御部２０２は、ログイン画面Ｇ１を端末装置２２に表示させる。
【００５７】
以上説明した本実施形態の住宅１の電力管理システム２によれば、以下の（１）〜（６）に示される作用及び効果を得ることができる。
【００５８】
（１）制御部２０２は、登録ＩＤ番号Ｎｈ１，Ｎｈ２に基づく端末装置２２，２３の認証が成立した場合、登録ＩＤ番号Ｎｈ１，Ｎｈ２に対応する世帯別の電力情報を端末装置２２，２３に表示させる。具体的には、第１世帯Ｈ１の住人が端末装置２２のログイン画面Ｇ１で登録ＩＤ番号Ｎｈ１を用いてログインした場合、端末装置２２には、第１世帯Ｈ１全体の消費電力、並びに第１世帯Ｈ１の部屋Ｒ１０及び部屋Ｒ１１の消費電力が表示される。これに対し、第２世帯Ｈ２の住人が、端末装置２３のログイン画面Ｇ１で登録ＩＤ番号Ｎｈ２を用いてログインした場合、端末装置２３には、第２世帯Ｈ２全体の消費電力、並びに第２世帯Ｈ２の部屋Ｒ２０及び部屋Ｒ２１の消費電力が表示される。これにより、自身の世帯の電力情報が他の世帯に漏れ難くなるため、情報のセキュリティ性を向上させることができる。
【００５９】
（２）制御部２０２は、ログインＩＤ番号が第１世帯Ｈ１のＩＤ番号Ｎｈ１であるか、第２世帯Ｈ２のＩＤ番号Ｎｈ２であるかに関わらず、端末装置２２，２３の認証が成立した場合には、端末装置２２，２３に２世帯Ｈ１，Ｈ２に共通する電力情報を表示させる。具体的には、端末装置２２，２３には、太陽光発電装置１３の発電量、蓄電装置１５の蓄電量、住宅１全体の消費電力、給湯装置１２の消費電力、及び充電スタンド１６の消費電力を表示される。これにより、各世帯Ｈ１，Ｈ２の住人は、２世帯Ｈ１，Ｈ２に共通する電力情報を容易に確認することができるため、利便性を向上させることができる。
【００６０】
（３）制御部２０２は、端末装置２２，２３の認証の際に用いられたログインＩＤ番号が管理者の登録ＩＤ番号Ｎｍである場合、世帯Ｈ１，Ｈ２別の電力情報、及び２世帯Ｈ１，Ｈ２に共通する電力情報を端末装置２２，２３に表示させる。これにより、管理者が端末装置２２，２３を操作する場合には、住宅１全体の電力情報を閲覧できるため、住宅１の電力を管理し易くなる。
【００６１】
（４）制御部２０２は、登録ＩＤ番号Ｎｈ１，Ｎｈ２に基づく端末装置２２，２３の認証が成立した場合、登録ＩＤ番号Ｎｈ１，Ｎｈ２に対応する世帯別の機器の操作を端末装置２２，２３に対して許可する。具体的には、第１世帯Ｈ１の住人が端末装置２２のログイン画面Ｇ１で登録ＩＤ番号Ｎｈ１を用いてログインした場合、制御部２０２は、端末装置２２に対して第１世帯Ｈ１の機器３０，３２の操作を許可する。これに対し、第２世帯Ｈ２の住人が端末装置２３のログイン画面Ｇ１で登録ＩＤ番号Ｎｈ２を用いてログインした場合、制御部２０２は、端末装置２３に対して第２世帯Ｈ２の機器４０，４２の操作を許可する。これにより、自身の世帯の機器が他の世帯の住人により操作されることを回避できるため、セキュリティ性を向上させることができる。
【００６２】
（５）制御部２０２は、ログインＩＤ番号が第１世帯Ｈ１のＩＤ番号Ｎｈ１であるか、第２世帯Ｈ２のＩＤ番号Ｎｈ２であるかに関わらず、２世帯Ｈ１，Ｈ２に共通する機器の操作を端末装置２２，２３に対して許可する。具体的には、制御部２０２は、給湯装置１２及び充電スタンド１６の操作を端末装置２２，２３に対して許可する。これにより、２世帯Ｈ１，Ｈ２に共通する機器に関してはいずれの世帯の住人も操作できるため、利便性を向上させることができる。
【００６３】
（６）制御部２０２は、端末装置２２，２３の認証の際に用いられたログインＩＤ番号が管理者の登録ＩＤ番号Ｎｍである場合、世帯Ｈ１，Ｈ２別の機器、及び２世帯Ｈ２，Ｈ２に共通する機器の操作を端末装置２２，２３に対して許可する。これにより、管理者が端末装置２２，２３を操作する場合には、住宅１全体の機器を操作できるため、住宅１の機器を管理し易くなる。
【００６４】
なお、上記実施形態は、以下の形態にて実施することもできる。
・登録ＩＤ番号Ｎｍ，Ｎｈ１，Ｎｈ２に対応して端末装置２２，２３に表示される電力情報の表示項目は、登録ＩＤ番号Ｎｍ，Ｎｈ１，Ｎｈ２毎に任意に変更可能であってもよい。例えば、ＨＥＭＳ装置２０の記憶部２００に、図１２に示されるような閲覧権限情報を記憶させる。図１２において、「○」は、情報の閲覧が許可されていることを示し、「×」は、情報の閲覧が禁止されていることを示す。制御部２０２は、図１２に示される閲覧権限情報に基づいて、各登録ＩＤ番号Ｎｍ，Ｎｈ１，Ｎｈ２に対応する電力情報を決定する。また、制御部２０２は、端末装置２２，２３の操作に基づいて閲覧権限情報の内容を変更する。このような構成によれば、各登録ＩＤ番号Ｎｍ，Ｎｈ１，Ｎｈ２に対応して端末装置２２，２３に表示される電力情報を任意に変更することができるため、利便性を向上させることができる。
【００６５】
・登録ＩＤ番号Ｎｍ，Ｎｈ１，Ｎｈ２に対応して端末装置２２，２３に対して操作の許可される機器は、登録ＩＤ番号Ｎｍ，Ｎｈ１，Ｎｈ２毎に任意に変更可能であってもよい。例えば、ＨＥＭＳ装置２０の記憶部２００に、図１３に示されるような操作権限情報を記憶させる。図１３において、「○」は、操作が許可されていることを示し、「×」は、操作が禁止されていることを示す。制御部２０２は、図１３に示される操作権限情報に基づいて、各登録ＩＤ番号Ｎｍ，Ｎｈ１，Ｎｈ２に対応して操作の許可する機器を決定する。また、制御部２０２は、端末装置２２，２３の操作に基づいて操作権限情報の内容を変更する。このような構成によれば、各登録ＩＤ番号Ｎｍ，Ｎｈ１，Ｎｈ２に対応して操作可能な機器を任意に変更することができるため、利便性を向上させることができる。
【００６６】
・管理者の電力情報詳細画面Ｇ１１では、各部屋Ｒ１０，Ｒ１１の現在の消費電力と過去の消費電力とを表示してもよい。具体的には、図１４に示されるように、電力情報詳細画面Ｇ１１に、「現在消費電力」及び「過去消費電力」のそれぞれのアイコンＡ３０，Ａ３１を設ける。制御部２０２は、「現在消費電力」のアイコンＡ３０が操作された場合には、各表示項目の現在の消費電力の情報を端末装置２２，２３に表示させる。制御部２０２は、「過去消費電力」のアイコンＡ３１が操作された場合には、各表示項目の過去の消費電力の情報を端末装置２２，２３に表示させる。同様に、第１世帯Ｈ１の電力情報詳細画面Ｇ２１や、第２世帯Ｈ２の電力情報詳細画面でも、現在の消費電力と過去の消費電力とを表示可能としてもよい。
【００６７】
・住宅１の電力情報を表示可能な機器は、端末装置２２，２３に限らない。例えば図１５に示されるように、住宅１の電力情報を表示可能な機器は、住宅１の外部のネットワークＮを介してＨＥＭＳ装置２０に接続される携帯端末２４であってもよい。また、携帯端末２４は、ＨＥＭＳ装置２０を介して住宅１の機器を操作可能であってもよい。本例では、携帯端末２４が遠隔操作装置に相当する。携帯端末２４は、例えばスマートフォンである。この場合、ＨＥＭＳ装置２０の記憶部２００には、ネットワークＮを利用した認証の際に用いられる遠隔操作用の登録ＩＤ番号Ｎｒと、この登録ＩＤ番号Ｎｒに対応する登録パスワードとを更に記憶させる。本例では、遠隔操作用の登録ＩＤ番号Ｎｒが遠隔操作用の登録識別情報に相当する。ＨＥＭＳ装置２０の制御部２０２は、携帯端末２４に入力されるＩＤ番号及びパスワードと、遠隔操作用の登録ＩＤ番号Ｎｒ及び登録パスワードとの比較により携帯端末２４の認証を行う。制御部２０２は、携帯端末２４の認証が成立した場合、管理者の登録ＩＤ番号Ｎｍでログインした場合と同様に、世帯Ｈ１，Ｈ２別の電力情報、及び２世帯Ｈ１，Ｈ２に共通する電力情報を携帯端末２４に表示させる。また、制御部２０２は、管理者の登録ＩＤ番号Ｎｍでログインした場合と同様に、世帯Ｈ１，Ｈ２別の機器、及び２世帯Ｈ２，Ｈ２に共通する機器の操作を携帯端末２４に対して許可する。２世帯住宅の場合、２世帯Ｈ１，Ｈ２が同時に住宅１から外出することが多い。そのため、携帯端末２４からログインした場合には、住宅１全体の電力情報の閲覧と住宅１全体の機器の操作とを可能にすることが、利便性の面で有効である。
【００６８】
・図１５に示される電力管理システム２では、例えば図１２に示されるような閲覧権限情報を利用することにより、携帯端末２４に表示される電力情報を変更できるようにしてもよい。また、例えば図１３に示されるような操作権限情報を利用することにより、携帯端末２４により操作可能な住宅１の機器を変更できるようにしてもよい。
【００６９】
・図７に示される住宅１全体の電力情報詳細画面Ｇ１１では、２世帯Ｈ１，Ｈ２に共通する電力情報、第１世帯Ｈ１の電力情報、及び第２世帯Ｈ２の電力情報をまとめて表示したが、それらを１画面ずつ表示してもよい。この場合、住宅１全体の電力情報、第１世帯Ｈ１の電力情報、及び第２世帯Ｈ２の電力情報のいずれの電力情報を表示させるかを選択するためのアイコンを端末装置２２に表示し、選択されたアイコンに応じた電力情報を端末装置２２に表示させることが有効である。これにより、電力情報の視認性を向上させることができる。
【００７０】
・端末装置２２，２３は、タッチパネル２２０を操作部とするものに限らず、例えばプッシュ操作可能な操作ボタンを操作部とするものであってもよい。
【００７１】
・ログイン画面Ｇ１で用いられる識別情報は、ＩＤ番号に限らず、声や指紋等の生体情報を用いることも可能である。
【００７２】
・図３及び図５に示される処理は、端末装置２２，２３で実行することも可能である。すなわち、制御部２０２の機能を端末装置２２，２３に搭載させてもよい。
【００７３】
・実施形態の電力管理システム２の構成は、２世帯住宅に限らず、３世帯以上の複数世帯の住宅にも適用することが可能である。
【００７４】
・ＨＥＭＳ装置２０の管理部２０１及び制御部２０２が提供する手段及び／又は機能は、実体的な記憶部２００に記憶されたソフトウェア及びそれを実行するコンピュータ、ソフトウェアのみ、ハードウェアのみ、あるいはそれらの組み合わせにより提供することができる。例えば管理部２０１及び制御部２０２がハードウェアである電子回路により提供される場合、それは多数の論理回路を含むデジタル回路、またはアナログ回路により提供することができる。
【００７５】
・本発明は上記の具体例に限定されるものではない。すなわち、上記の具体例に、当業者が適宜設計変更を加えたものも、本発明の特徴を備えている限り、本発明の範囲に包含される。例えば、前述した各具体例が備える各要素及びその配置や条件等は、例示したものに限定されるわけではなく適宜変更することができる。また、前述した実施形態が備える各要素は、技術的に可能な限りにおいて組み合わせることができ、これらを組み合わせたものも本発明の特徴を含む限り本発明の範囲に包含される。
【符号の説明】
【００７６】
１：住宅
２２，２３：端末装置
２４：携帯端末（遠隔操作装置）
２００：記憶部
２０１：管理部
２０２：制御部
【図１】
2017060268.tif 000003
【図２】
2017060268.tif 000004
【図３】
2017060268.tif 000005
【図４】
2017060268.tif 000006
【図５】
2017060268.tif 000007
【図６】
2017060268.tif 000008
【図７】
2017060268.tif 000009
【図８】
2017060268.tif 000010
【図９】
2017060268.tif 000011
【図１０】
2017060268.tif 000012
【図１１】
2017060268.tif 000013
【図１２】
2017060268.tif 000014
【図１３】
2017060268.tif 000015
【図１４】
2017060268.tif 000016
【図１５】
2017060268.tif 000017